(57)【要約】【課題】買い替えで機器が違う場合において、使用者が手間や時間をかけないで、今までの使用状況を加味した初期設定データを買い替え後の設定操作手段に継承させること。【解決手段】機器操作システムが、第１の機器１０１ａへ指示情報を設定する第１の指示設定手段１０２ａと、第２の機器１０１ｂへ指示情報を設定する第２の指示設定手段１０２ｂで構成され、第２の指示設定手段１０１ｂは、第２の機器１０１ｂへ設定した指示情報の履歴を記憶し、第１の指示設定手段１０２ａは、第１の機器１０１ａと第２の機器１０１ｂの搭載機能及び動作能力の差を分析する機能比較手段１１６と、第２の機器１０１ｂへ設定した指示情報の履歴を収集する情報収集手段１１４と、収集情報から運転傾向を決定する運転傾向決定手段１１５を備え、運転傾向と機能比較結果に基づいて第１の機器１０１ａへの指示情報を生成する。【選択図】図１
2011158178.tif 000002
【特許請求の範囲】
【請求項１】
第１の機器を運転させるために、第１の機器へ指示情報を設定する第１の指示設定手段と、第２の機器を運転させるために、第２の機器へ指示情報を設定する第２の指示設定手段で構成され、前記第２の指示設定手段は、第２の機器へ設定した指示情報の履歴を記憶する指示情報履歴記憶手段を備え、前記第１の指示設定手段は、前記第１の機器と前記第２の機器の搭載機能、及び又は、動作能力の差を分析する機能比較手段と、前記指示情報履歴記憶手段から前記第２の機器へ設定した指示情報の履歴を収集する情報収集手段と、前記情報収集情報から運転傾向を決定する運転傾向決定手段を備え、前記運転傾向決定手段の決定内容と前記機能比較手段の比較結果に基づいて第１の機器への指示情報を生成する機器操作システム。
【請求項２】
第１の機器を運転させるために、第１の機器へ指示情報を設定する第１の指示設定手段と、第２の機器で構成され、前記第２の機器は、自身の運転履歴を記憶するための運転履歴記憶手段を備え、前記第１の指示設定手段は、前記第１の機器と前記第２の機器の搭載機能、及び又は、動作能力の差を分析する機能比較手段と、前記運転履歴記憶手段から前記第２の機器の運転履歴を収集する情報収集手段と、前記情報収集情報から運転傾向を決定する運転傾向決定手段を備え、前記運転傾向決定手段の決定内容と前記機能比較手段の比較結果に基づいて第１の機器への指示情報を生成する機器操作システム。
【請求項３】
前記情報収集手段は、前記第２の指示設定手段が前記第２の機器を操作するために送信する通信データを傍受し、前記指示情報履歴記憶手段から前記第２の機器へ設定した指示情報の履歴を収集する請求項１に記載の機器操作システム。
【請求項４】
前記第１、第２の機器は、空調機であり、前記第２の機器もしくは、第２の指示設定手段は、発生した異常の履歴情報を記憶する異常情報履歴記憶手段を備え、前記情報収集手段は、前記異常履歴情報を収集し、前記第２の機器の使われ方を分析し、前記分析結果に基づいて、前記第１の機器の設定情報、及び又は、異常検知時のしきい値を指示情報として生成する請求項１または３に記載の機器操作システム。
【請求項５】
前記第１、第２の機器は、空調機であり、前記第１の機器は、第１の機器が設置される部屋の間取りを検知する間取り検知手段を備え、前記間取り検知手段が検知する部屋の間取りと前記運転傾向決定手段の決定内容と前記機能比較手段の比較結果に基づいて第１の機器への設定情報を指示情報として生成する請求項２に記載の機器操作システム。
【請求項６】
前記第１、第２の機器は、貯湯式給湯器であり、前記機能比較手段は、前記第１の機器と第２の機器の湯沸かし能力や貯湯量の差を比較し、前記情報収集手段は、前記第２の機器が日々のお湯使用量や使用時間を学習して導き出した湯量設定、及び又は、湯沸かし動作開始時刻のいずれかを収集し、前記第１の設定操作手段は、前記収集情報と前記比較結果に基づいて第１の機器への指示情報を生成する請求項２に記載の機器操作システム。
【請求項７】
請求項１から６のいずれか１項に記載の機器操作システムの少なくとも一部をコンピュータに実行させるプログラム。
【発明の詳細な説明】
【技術分野】
【０００１】
本発明は、機器の操作システムに関するものである。
【背景技術】
【０００２】
従来、この種の機器操作システムは、機器を遠隔操作する設定情報を初期設定装置として別途設けている。そして、機器の設定情報を予め初期設定装置に初期設定データとして記憶・管理しておいて、その初期設定データを別の機器にコピーする。
【０００３】
このようにして、機器を故障により交換するような場合でも、必要な時に初期設定データを初期設定装置から新しい機器にコピーすることによって、初期設定のための再入力による復旧までに要する時間を大幅に低減することができる（例えば、特許文献１参照）。
【０００４】
図６は、前記公報に記載された従来の機器操作システムの空調管理装置および初期設定装置の構成を示すブロック図である。図６に示すように、複数の空調機１ａ、１ｂを集中制御する空調管理装置２、空調管理装置２の初期設定を行うために初期設定データを送信する汎用のパソコン等により構成された初期設定装置３、空調管理装置２と初期設定装置３との間で通信を行うためのＬＡＮを使用した伝送線５からなる。
【０００５】
更に、空調管理装置２は、初期設定データを記憶する記憶手段１１と、初期設定装置３から送信された初期設定データに基づき空調管理装置２の初期設定処理を行う初期設定手段１２と、初期設定装置３と伝送線５を介して通信するための通信手段１３で少なくとも構成されている。また、初期設定装置３は、空調管理装置２の初期設定のための初期設定データを記憶する記憶手段２１と、記憶手段２１に記憶されている初期設定データを空調管理装置２に送信する初期設定手段２２と、空調管理装置２と伝送線５を介して通信するための通信手段２３で少なくとも構成されている。
【先行技術文献】
【特許文献】
【０００６】
【特許文献１】特開２００３−２７９１１３号公報
【発明の概要】
【発明が解決しようとする課題】
【０００７】
しかしながら、前記従来の構成では、指示設定手段（空調管理装置）が管理する機器（空調機）が買い替え等で変わった時に指示設定手段を新しいものへ変わる場合を想定していない。買い替えの場合に、買い替え前用の機器の初期設定データで買い替え後の新しい機器用の指示設定手段を初期設定しようとすると不足するデータ（新しい機種だけに搭載される機能に対する設定データ）があったりしてデータのフォーマットが違う場合があり、その場合、最悪機器を遠隔制御できない可能性がある。
【０００８】
かといって機器買い替えの場合だけ、新しい指示設定手段の初期設定データを使用者が手入力で設定するようにすると、手間や時間を要してしまう。このように、制御対象である機器の買い替え時において、制御対象の機器が違う場合でも今までの使用状況を加味した初期設定データを買い替え後の設定操作手段に継承させようとすると使用者が手入力で設定する必要があり手間や時間を要するという課題を有していた。
【０００９】
本発明は、前記従来の課題を解決するもので、機器の買い替え時に制御対象の機器が違う場合において、使用者が手間や時間をかけて手入力で設定を行わずとも、今までの使用
状況を加味した初期設定データを買い替え後の設定操作手段に継承させることを可能にした機器操作システムおよびそのプログラムを提供することを目的とする。
【課題を解決するための手段】
【００１０】
前記従来の課題を解決するために、本発明の機器操作システムおよびそのプログラムは、第１の機器を運転させるために、第１の機器へ指示情報を設定する第１の指示設定手段と、第２の機器を運転させるために、第２の機器へ指示情報を設定する第２の指示設定手段で構成され、前記第２の指示設定手段は、第２の機器へ設定した指示情報の履歴を記憶する指示情報履歴記憶手段を備え、前記第１の指示設定手段は、前記第１の機器と前記第２の機器の搭載機能、及び又は、動作能力の差を分析する機能比較手段と、前記指示情報履歴記憶手段から前記第２の機器へ設定した指示情報の履歴を収集する情報収集手段と、前記情報収集情報から運転傾向を決定する運転傾向決定手段を備え、前記運転傾向決定手段の決定内容と前記機能比較手段の比較結果に基づいて第１の機器への指示情報を生成するとしたものである。
【００１１】
これによって、買い替えによって機器と指示設定手段とも変わる場合において、機能比較手段によって買い替え前と後との機能の比較を行い、買い替え後の機器において、買い替え前の機器にない初期設定データが必要な場合には、その不足データをデータの補完をするとともに、不必要なデータがある場合には、削除することができる。
【００１２】
また、情報収集手段が第２の指示設定手段から第２の機器へ設定した指示情報の履歴を収集することで、使用者の第２の機器を使用する際の傾向がわかり、それを初期データに反映することもできる。
【００１３】
これにより、機器を買い替えて制御対象の機器が違う場合において、使用者が手間や時間をかけて手入力で設定を行わずとも、今までの使用状況を加味した初期設定データを買い替え後の指示設定手段に継承させることが可能である。
【発明の効果】
【００１４】
本発明の機器操作システムおよびそのプログラムは、機器を買い替えて制御対象の機器が違う場合において、使用者が手間や時間をかけて手入力で設定を行わずとも、今までの使用状況を加味した初期設定データを買い替え後の指示設定手段に継承させることが可能である。
【図面の簡単な説明】
【００１５】
【図１】第１の実施の形態における機器操作システムの構成を示すブロック図
【図２】第１の実施の形態における第１の機器と第１の指示設定手段との関係を示す図
【図３】第１の実施の形態における機器操作システムのフローチャート
【図４】第２の実施の形態における機器操作システムの構成を示すブロック図
【図５】第３の実施の形態における機器操作システムの構成を示すブロック図
【図６】従来の機器操作システムの空調管理装置および初期設定装置の構成を示すブロック図
【発明を実施するための形態】
【００１６】
第１の発明は、第１の機器を運転させるために、第１の機器へ指示情報を設定する第１の指示設定手段と、第２の機器を運転させるために、第２の機器へ指示情報を設定する第２の指示設定手段で構成され、前記第２の指示設定手段は、第２の機器へ設定した指示情報の履歴を記憶する指示情報履歴記憶手段を備え、前記第１の指示設定手段は、前記第１の機器と前記第２の機器の搭載機能、及び又は、動作能力の差を分析する機能比較手段と
、前記指示情報履歴記憶手段から前記第２の機器へ設定した指示情報の履歴を収集する情報収集手段と、前記情報収集情報から運転傾向を決定する運転傾向決定手段を備え、前記運転傾向決定手段の決定内容と前記機能比較手段の比較結果に基づいて第１の機器への指示情報を生成するとしたものである。
【００１７】
これによって、買い替えによって機器と指示設定手段とも変わる場合において、機能比較手段によって買い替え前と後との機能の比較を行い、買い替え後の機器において、買い替え前の機器にない初期設定データが必要な場合には、その不足データをデータの補完をするとともに、不必要なデータがある場合には、削除することができる。
【００１８】
また、情報収集手段が第２の指示設定手段から第２の機器へ設定した指示情報の履歴を収集することで、使用者の第２の機器を使用する際の傾向がわかり、それを初期データに反映することもできる。
【００１９】
これにより、機器を買い替えて制御対象の機器が違う場合において、使用者が手間や時間をかけて手入力で設定を行わずとも、今までの使用状況を加味した初期設定データを買い替え後の指示設定手段に継承させることが可能である。
【００２０】
第２の発明は、第１の機器を運転させるために、第１の機器へ指示情報を設定する第１の指示設定手段と、第２の機器で構成され、前記第２の機器は、自身の運転履歴を記憶するための運転履歴記憶手段を備え、前記第１の指示設定手段は、前記第１の機器と前記第２の機器の搭載機能、及び又は、動作能力の差を分析する機能比較手段と、前記運転履歴記憶手段から前記第２の機器の運転履歴を収集する情報収集手段と、前記情報収集情報から運転傾向を決定する運転傾向決定手段を備え、前記運転傾向決定手段の決定内容と前記機能比較手段の比較結果に基づいて第１の機器への指示情報を生成するとしたものである。
【００２１】
これによって、買い替えによって機器と指示設定手段とも変わる場合において、機能比較手段によって買い替え前と後との機能の比較を行い、買い替え後の機器において、買い替え前の機器にない初期設定データが必要な場合には、その不足データをデータの補完をするとともに、不必要なデータがある場合には、削除することができる。
【００２２】
また、情報収集手段が第２の機器から運転履歴を収集することで、使用者の第２の機器を使用する際の傾向がわかり、それを初期データに反映することもできる。第２の指示設定手段から指示履歴を収集する場合は、第２の指示設定手段では設定したつもりになっていても、通信不良や第２の機器のコンセントプラグが入っていなく設定しても実際に第２の機器は運転していなかった場合もある。第２の機器から運転履歴を収集することによってより正確な情報（使用状況）を収集することができる。
【００２３】
これにより、機器を買い替えて制御対象の機器が違う場合において、使用者が手間や時間をかけて手入力で設定を行わずとも、今までの使用状況を加味した初期設定データを買い替え後の指示設定手段に継承させることが可能である。
【００２４】
第３の発明は、特に、第１の発明の前記情報収集手段は、前記第２の指示設定手段が前記第２の機器を操作するために送信する通信データを傍受し、前記指示情報履歴記憶手段から前記第２の機器へ設定した指示情報の履歴を収集することにより、第２の指示設定手段に第１の指示設定手段と通信するための特別な仕組みがなくても、たとえば、第２の機器へ第２の指示設定手段から電源ＯＮ指示を送信している内容を第１の指示設定手段が傍受すれば、少なくとも最後に第２の機器を運転した時の設定情報を第１の指示設定手段が知ることができる。
【００２５】
第４の発明は、特に、第１または第３の発明の前記第１、第２の機器は、空調機であり、前記第２の機器もしくは、第２の指示設定手段は、発生した異常の履歴情報を記憶する異常情報履歴記憶手段を備え、前記情報収集手段は、前記異常履歴情報を収集し、前記第２の機器の使われ方を分析し、前記分析結果に基づいて、前記第１の機器の設定情報、及び又は、異常検知時のしきい値を指示情報として生成することにより次の効果を得る。
【００２６】
それは、例えば、買い替え前の空調機でフィルタ目詰まり表示が表示されたままで使用されていて、目詰まりのために冷房時設定温度が低く設定されていた場合で且つ、買い替え後の新しい空調機に自動フィルタ掃除機能が搭載されている場合には、買い替え後の機種ではフィルタが目詰まりすることはなく、フィルタが目詰まりしなければ、設定温度を低くする必要がない。
【００２７】
そういう場合に、機能比較手段で自動フィルタ掃除機能の有無を買い替え前と買い替え後の空調機で比較し、情報収集手段がフィルタ目詰まりの異常報知の履歴と設定温度の履歴を収集することで、前述の設定温度を低くする必要がない（設定温度を履歴のものより高くしても問題ない）ことを分析し、第１の指示設定手段が設定温度を高くした指示情報として生成し、第１の機器へ設定する。
【００２８】
これによって、使用者の快適性を損なう（冷房時、暑いのを我慢する）ことなく、電力消費を少なくすることができる。
【００２９】
第５の発明は、特に、第２の発明の前記第１、第２の機器は、空調機であり、前記第１の機器は、第１の機器が設置される部屋の間取りを検知する間取り検知手段を備え、前記間取り検知手段が検知する部屋の間取りと前記運転傾向決定手段の決定内容と前記機能比較手段の比較結果に基づいて第１の機器への設定情報を指示情報として生成することにより次の効果を得る。
【００３０】
それは、買い替え後の新しい空調機で再度検知しなおす必要がなくなる。つまり、買い替え後の機器の使用開始時から使用者の間取りにあった風量・風向を提供することができる。部屋の間取りを検知するには時間がかかり、その間は、間取りに合わせた風量・風向を制御できない。これを買い替え前の機器から引き継げれば、検知中も間取りに合わせた風量・風向を制御ができる。
【００３１】
間取り検知は、たとえば超音波を部屋全体に向けて出力し、その超音波が壁等に当たって跳ね返って戻ってくるまでの時間を計測することで距離を測って検知する。そのため、部屋全体の間取りを検知しようとすると時間がかかる。
【００３２】
第６の発明は、特に、第２の発明に記載の第１、第２の機器は、貯湯式給湯器であり、前記機能比較手段は、前記第１の機器と第２の機器の湯沸かし能力や貯湯量の差を比較し、前記情報収集手段は、前記第２の機器が日々のお湯使用量や使用時間を学習して導き出した湯量設定、及び又は、湯沸かし動作開始時刻を収集し、前記第１の設定操作手段は、前記収集情報と前記比較結果に基づいて第１の機器への指示情報を生成することにより次の効果を得る。
【００３３】
それは、買い替え後の新しい貯湯式給湯器で再度湯量設定や湯沸かし動作開始時刻を学習する必要がなくなる。この学習は何回かの使用状況を見て行うので、学習中は、たとえお湯の使用が少なくても多めにお湯を沸かしてしまう。これを買い替え前の機器から引き継げれば、学習中は、多めにお湯をわかすので、そのお湯を削減することができる。
【００３４】
第７の発明は、請求項１から６のいずれか１項に記載の機器操作システムの少なくとも一部をコンピュータに実行させるプログラムとすることにより、パソコンなどで容易に実現することができ、そのプログラムを記録した記録媒体を用いることでソフトウェアを各利用者の家庭でインストールする作業も容易になる。
【００３５】
以下、本発明の実施の形態について、図面を参照しながら説明する。なお、この実施の形態によって本発明が限定されるものではない。
【００３６】
（実施の形態１）
図１は、本発明の第１の実施の形態における機器操作システムの機能構成を示すブロック図を示すものである。
【００３７】
図１において、機器操作システムは、機器１０１（第１の機器１０１ａ、第２の機器１０１ｂ）と、指示設定手段１０２（第１の指示設定手段１０２ａと第２の指示設定手段１０２ｂとで構成されている。
【００３８】
なお、本実施の形態においての第１、第２の機器１０１ａ、１０１ｂはどちらも空調機で、第２の機器１０１ｂは、買い替え前の空調機、第１の機器１０１ａは、買い替え後の空調機を想定している。また、第１、第２の指示設定手段１０２ａ、１０２ｂは、第１、第２の機器１０１ａ、１０１ｂの運転を遠隔で操作するリモートコントローラで、第２の指示設定手段１０２ｂは、買い替え前の空調機のリモートコントローラ、第１の指示設定手段１０２ａは、買い替え後の空調機のリモートコントローラを想定している。
【００３９】
第１の指示設定手段１０２ａから第１の機器へ赤外線を介して動作指示が送信されて、第１の機器１０１ａが指示に対応した運転を行う。また、第２の指示設定手段１０２ｂから第２の機器へ赤外線を介して動作指示が送信されて、第２の機器１０１ｂが指示に対応した運転を行う。
【００４０】
なお、図２に本実施の形態の第１の機器１０１ａと第１の指示設定手段１０２ａとの関係の概要図を示す。
【００４１】
更に、第１の指示設定手段１０２ａは、少なくとも入力手段１１１ａと報知手段１１２ａと通信手段１１３ａと情報収集手段１１４と運転傾向決定手段１１５と機能比較手段１１６と指示情報生成手段１１７ａと指示情報履歴記憶手段１１８ａで構成されている。
【００４２】
第２の指示設定手段１０２ｂは、少なくとも入力手段１１１ｂと報知手段１１２ｂと通信手段１１３ｂと指示情報生成手段１１７ｂと指示情報履歴記憶手段１１８ｂと異常情報履歴記憶手段１１９で構成されている。
【００４３】
以下に、第１、第２の指示設定手段１０２ａ、１０２ｂの構成手段の説明を行う。
【００４４】
入力手段１１１ａとは、図２における指示設定手段１０２ａの運転キー１０５ａや温度調節キー１０５ｂなどであり、使用者の意志を入力するキースイッチを想定している。入力手段１１１ｂについても同様である。
【００４５】
報知手段１１２ａとは、図２における指示設定手段１０２ａの液晶パネルを想定していて、運転内容（暖房／冷房等）や設定温度、風向、風量、また異常発生時の異常内容を表示するものである。報知手段１１２ｂについても同様であり、表示するものが第２の機器１０１ｂの情報になっただけである。
【００４６】
通信手段１１３ａ、１１３ｂとは、第１の機器１０１ａと赤外線通信するためのもので、他の手段から指定された情報を決められたプロトコルに従って出力し第１の機器１０１ａへ伝達するとともに、第１の機器１０１から送られてくる発生した異常の内容を受信するものである。通信手段１１３ｂについても同様で通信相手が第２の機器１０１ｂになっただけである。
【００４７】
赤外線通信であるので、第１の機器１０１ａとの間に障害物があったり、第１の指示設定手段１０２ａの赤外線出力部分が第１の機器１０１ａへ向けられていなかったりすれば、第１の機器１０１ａは受信できない場合がある。また、通信手段１１３ａは、第２の機器１０１ｂと第２の指示設定手段１０２ｂの両方と通信を可能とする。通信手段１１３ｂは、第１の機器１０１ａと第１の指示設定手段１０２ａの両方と通信を可能とする。
【００４８】
情報収集手段１１４とは、通信手段１１３ａを経由して、指示情報履歴記憶手段１１８ｂと異常情報履歴記憶手段１１９に記憶されている情報を取得するものである。
【００４９】
各履歴情報を収集する場合は、本実施の形態では、図２の収集キー１０５ｃを押下することによって、第２の指示設定手段１０２ｂに指示情報履歴記憶手段１１８ｂと異常情報履歴記憶手段１１９に記憶されている情報を送信するように要求し、その要求に連動して第２の指示設定手段１０２ｂから送られてくる応答を通信手段１１３ａ経由で収集する。
【００５０】
なお、第２の機器１０１ｂが最後に使用された時の指示情報を収集させる場合には、第１の赤外線出力箇所を指示設定手段１０２ａに向けて第２の指示設定手段１０２ｂの運転キー１０５ａを押下するようにしてもよい。そうすれば、本来第２の機器１０１ｂに送信するデータではあるが、それを第１の指示設定手段１０２ａが傍受する形になるので、使い慣れた第２の指示設定手段１０２ｂに特別な仕組みがなくても最後に使用された時の指示情報を収集させることもできる。
【００５１】
運転傾向決定手段１１５とは、情報収集手段１１４が収集する指示情報履歴と異常情報履歴から使用者の使用傾向を解析する手段である。
【００５２】
例えば、冷房使用時の設定温度が省エネ運転の２８℃に対して常に低く、風量も強い設定で使用される場合には、使用者の使用傾向として暑がりのために設定温度を低くしている。設定温度が低い方が快適に感じていると考えることができる。また、機器（空調機）を設置されている部屋が機器の能力を超えて広い部屋で使用されているとも考えることができる。
【００５３】
なお、収集した異常情報履歴に、フィルタ目詰まりした時に発生する異常情報が多くあった場合には、フィルタ目詰まりの為に設定温度が低く設定されていたと考えることができる。
【００５４】
次に、冷房使用時の機器（空調機）動作開始時の設定温度が低めで、長く運転すると設定温度を上げて使用される場合には、使用者の使用傾向として急いで部屋を涼しくさせたいためにこのような温度設定にしていると考えることができる。また、機器（空調機）を設置されている部屋が機器の能力を超えて広い部屋で使用されているとも考えることができる。
【００５５】
次に、暖房使用時の設定温度が省エネ運転の２０℃に対して常に高く設定される場合には、使用者の使用傾向として寒がりのために設定温度を高くしている。設定温度が高い方が快適に感じていると考えることができる。また、機器（空調機）を設置されている部屋が機器の能力を超えて広い部屋で使用されているとも考えることができる。
【００５６】
機能比較手段１１６とは、第２の機器１０１ｂ（買い替え前の機器）と第１の機器１０１ａ（買い替え後の機器）に対して、搭載されている機能の差を解析する手段である。本実施の形態においては、第１の機器１０１ａ、第２の機器１０１ｂの品番を第１の指示設定手段１０２ａに入力手段１１１ａを使用して入力することを想定している。品番が分かれば、搭載機能も判明するので、品番を比較することで自動フィルタ掃除機能有無や冷却能力を比べる。
【００５７】
なお、第２の機器１０１ｂもしくは、第２の指示設定手段１０２ｂから通信手段１１３ａを経由して第２の機器１０１ｂの品番を取得するようにしてもよい。また、搭載機能は必ず第２の指示設定手段１０２ｂから動作指示が行われていると考えることができるので、指示情報履歴記憶手段１１８ｂに記憶されている指示情報を解析して、第２の機器１０１ｂに搭載されている機能を取得するようにしても良い。
【００５８】
指示情報生成手段１１７ａとは、入力手段１１３ａに入力された使用者からの指示を通信手段１１３ａを経由して第１の機器１０１ａに送信する為のデータの変換を行う。例えば、元々の設定温度が２５℃だった場合に温度調節キーの▲側の１回押下なら、設定温度を１℃上げる２６℃にするといった具合である。更に、第１の機器１０１ａに送信する指示を使用者に確認可能とするため、報知手段１１２ａに表示させる。
【００５９】
なお、指示情報生成手段１１７ｂについても同様である。しかし、指示情報生成手段１１７ａについては、更に、運転傾向決定手段で使用者の運転傾向を判断した場合には、その情報を加味して指示情報を生成し、報知手段１１２ａに報知する。
【００６０】
指示情報履歴記憶手段１１８ａ、１１８ｂとは、通信手段１１３ａ、１１３ｂを経由して第１の機器１０１ａ、第２の機器１０１ｂに動作指示を送った場合にその指示の履歴と最終（一番最後に設定した）指示については、指示してからの経過時間を記憶する手段である。異常情報履歴記憶手段１１９とは、第２の機器１０１ｂで発生した異常情報を記憶する記憶手段である。
【００６１】
次に、本実施の形態における機器操作システムの動作について説明する。ここでは、図３のフローチャートを用いて説明する。
【００６２】
まず機能比較手段１１６が入力手段１１１ａを経由して入力される第２の機器１０１ｂの品番を取得する（Ｓ３０１）。品番は、機器毎に一意に割り当てられているものであるので、どの機器が特定することができる。
【００６３】
なお、第１の機器１０１ａについては、第１の機器１０１ａと第１の指示設定手段１０１ａは元々対になっているものなので、予め認知しているものであると想定している。ただし、第２の機器１０１ｂと同様に入力手段１１１ａを経由して入力するようにしてもよい。
【００６４】
次に、取得した品番を元に第１の機器１０１ａと第２の機器１０１ｂとの間で異なる機能が搭載されているか否かを比較する（Ｓ３０２）。本実施の形態おいて、第１の機器１０１ａと第２の機器１０１ｂの機能の差は、第１の機器１０１ａには自動フィルタ掃除機能が搭載されている。
【００６５】
次に、情報収集手段１１４は、指示情報履歴記憶手段１１８ｂ、異常情報履歴記憶手段１１９に記憶されている情報を通信手段１１３ａを経由して取得する（Ｓ３０３）。本実施の形態では、情報収集手段１１４は、指示情報履歴記憶手段１１８ｂより最後に使用さ
れてからの経過時間を１００時間、最後に使用された運転が冷房運転、冷房使用時の温度設定は、常に省エネ運転の２８℃より低い２２℃、暖房使用時の温度設定は、常に省エネ運転の２０℃より高い２４℃という情報を取得するものとする。
【００６６】
情報収集手段１１４が情報を収集するトリガは、本実施の形態では、図２の第１の指示設定手段１０１ａの収集キーを押下することによって行われることを想定している。
【００６７】
また、情報収集手段１１４は、異常情報履歴記憶手段１１９より第２の機器１０１ｂで発生した異常情報として、発生した異常に対して異常コードが一意に割り当てられているので、その異常コードと発生時間を取得する。なお、本実施の形態では、フィルタ目詰まりの異常が頻繁に発生していること（フィルタの掃除がされていない）を収集するものとする。
【００６８】
次に、運転傾向決定手段１１５は、取得した指示情報履歴から使用者の機器運転時の運転傾向を決定する（Ｓ３０４）。本実施の形態では、冷房時常に省エネ運転の２８℃より低い設定温度で使用されているので、決定する傾向は、使用者は暑がりの傾向があると判断する。また、Ｓ３０３より暖房使用時の温度設定が常に省エネ運転の２０℃より高いので、寒がりの傾向であるという決定も行う。
【００６９】
次に、指示情報生成手段１１７ａは、最後に使用された（最近使用した）運転内容が何であるかということと、最後に運転してからどれ位時間が経過しているか収集した情報を元に確認する（Ｓ３０５）。本実施の形態では、最後に使用された運転内容が、冷房である場合で、最後の運転からの経過時間が少ないので、指示情報生成手段１１７ａは冷房を使用する夏シーズンであると考える。
【００７０】
なお、指示情報生成手段１１７ａは、半年近い時間が経過していれば、暖房を使用する冬シーズンであると考え、更に、１年近い時間が経過していれば、冷房を使用する夏シーズンという具合に、最後に使用されてからの経過時間で運転内容を冷房・暖房のどちらにするか判断する。
【００７１】
また、最後に使用された運転内容が、暖房である場合で、最後の運転からの経過時間が少なければ、冬シーズンと考え、半年近い時間が経過していれば、冷房を使用する夏シーズンであると考え、更に、１年近い時間が経過していれば、暖房を使用する冬シーズンという具合に、最後に使用された運転内容が、暖房である場合も最後に使用されてからの経過時間で運転内容を冷房・暖房のどちらにするか判断する。
【００７２】
次に、指示情報生成手段１１７ａは、Ｓ３０４で決定された運転傾向を確認（Ｓ３０６）とＳ３０３で収集した異常情報履歴の確認（Ｓ３０８）とＳ３０２で比較した第１の機器１０１ａと第２の機器１０１ｂの機能比較結果を確認する（Ｓ３１０）。
【００７３】
冷房使用時の温度設定が常に低く（暑がりで）、フィルタ目詰まりを示す異常が発生していて、第１の機器１０１ａには、自動フィルタ掃除機能が搭載されているのに対して第２の機器１０１ｂでは、自動フィルタ掃除機能が未搭載の場合には、指示情報生成手段１１７ａは、運転内容を冷房として、設定温度を指示情報履歴より取得した最後の冷房使用時の設定温度２２℃よりも少し高い２５℃にして、風量・風向は、最後の冷房使用時の設定の指示情報を生成する（Ｓ３１２）。
【００７４】
なお、本実施の形態では、設定温度を上げるようにしたが、設定温度は、最後の冷房使用時の設定のままで、風量を弱くするようにしたり、風向を直接使用者に当てないように上向きにしたりしてもよい。
【００７５】
また、冷房使用時の温度設定が常に低くなかったり、フィルタ目詰まりを示す異常が発生していなかったり、第１の機器１０１ａ、第２の機器１０１ｂともに自動フィルタ掃除機能が搭載されていたり（未搭載だったり）する場合には、指示情報生成手段１１７ａは、運転内容を冷房として、設定温度を指示情報履歴より取得した最後の冷房使用時の設定温度２２℃にして、風量・風向も、最後の冷房使用時の設定の指示情報を生成する（Ｓ３１３）。
【００７６】
そして次に、使用者に生成した指示情報を第１の機器１０１ａに送信して運転させてもよいか確認の意味を込めて、報知手段１１２ａに生成した指示情報の内容を表示する（Ｓ３１６）。
【００７７】
次に、指示情報生成手段１１７ａが生成した指示情報が意向に合致していれば、使用者は運転キーを押下し、通信手段１１３ａを経由してその指示情報を第１の機器１０１ａに送信し、第１の機器１０１ａがその指示に対応した運転を行う（Ｓ３１７）。もし、生成した指示内容が使用者の意向と合致しない場合は、使用者が入力手段１１１ａへ入力を行い指示情報の変更を行うものとする。
【００７８】
なお、Ｓ３０５で冬シーズンと判断された場合には、下記のような処理を行う。
【００７９】
まず、指示情報生成手段１１７ａは、Ｓ３０４で決定された運転傾向を確認（Ｓ３０７）とＳ３０３で収集した異常情報履歴の確認（Ｓ３０９）とＳ３０２で比較した第１の機器１０１ａと第２の機器１０１ｂの機能比較結果を確認する（Ｓ３１１）。
【００８０】
暖房使用時の温度設定が常に高く（寒がりで）、フィルタ目詰まりを示す異常が発生していて、第１の機器１０１ａには、自動フィルタ掃除機能が搭載されているのに対して第２の機器１０１ｂでは、自動フィルタ掃除機能が未搭載の場合には、指示情報生成手段１１７ａは、運転内容を暖房として、設定温度を指示情報履歴より取得した最後の冷房使用時の設定温度よりも少し低くして、風量・風向は、最後の暖房使用時の設定の指示情報を生成する（Ｓ３１４）。
【００８１】
また、暖房使用時の温度設定が常に高くなかったり、フィルタ目詰まりを示す異常が発生していなかったり、第１の機器１０１ａ、第２の機器１０１ｂともに自動フィルタ掃除機能が搭載されていたり（未搭載だったり）する場合には、指示情報生成手段１１７ａは、運転内容を暖房として、設定温度を指示情報履歴より取得した最後の暖房使用時の設定温度にして、風量・風向も、最後の冷房使用時の設定の指示情報を生成する（Ｓ３１５）。
【００８２】
そして次に、使用者に生成した指示情報を第１の機器１０１ａに送信して運転させてもよいか確認の意味を込めて、報知手段１１２ａに生成した指示情報の内容を表示する（Ｓ３１６）。
【００８３】
更に、本実施の形態では、第２の機器１０１ｂが暖房・冷房両方で使用されていることを想定しているが、例えば、指示情報生成手段１１７ａは、情報収集手段１１４が収集結果から冷房だけしか使用されていないと運転傾向決定手段１１５が判断した場合には、次のような処理を行ってもよい。それは、指示情報生成手段１１７ａが、指示情報として暖房として使用する選択肢をなくすようにすることである。そのため、報知手段１１２ａにも暖房運転の表示が表示されない。
【００８４】
そうすると、冷房しか使用しない人にとって、謝って運転切換キーを押下してしまって
、それに気付かず意図してないのに暖房として第１の機器１０１ａを運転させてしまうことを防止することができる。
【００８５】
以上のように、本実施の形態においては、機能比較手段１１６が買い替え前の第２の機器１０１ｂと買い替え後の第１の機器１０１ａの搭載機能の差を比較し、また、情報収集手段１１４が収集した第２の機器１０１ｂの使用状況から運転傾向決定手段１１５が運転傾向を決定し、指示情報生成手段１１７ａが比較結果と運転傾向から第１の機器１０１ａを運転させるための指示情報を生成することによって、機器を買い替えて制御対象の機器が違う場合において、使用者が手間や時間をかけて手入力で設定を行わずとも、今までの使用状況を加味した初期設定データを買い替え後の設定操作手段に継承させることを可能することができる。
【００８６】
なお、本実施の形態では、指示情報履歴を第２の指示設定手段１０２ｂから取得することによって運転傾向を決定したが、第２の機器１０１ｂから運転履歴情報を取得するようにしてもよい。
【００８７】
（実施の形態２）
図４は、本発明の第２の実施の形態の機器操作システムの機能構成を示すブロック図を示すものである。
【００８８】
図４に示すように、本実施の形態の機能構成は、大部分は実施の形態１の機能構成と同じである。ただ、第１の機器１０１ａと第２の機器１０１ｂそれぞれが間取り検知手段１３０ａ、１３０ｂを備えていることと、第２の機器のみに運転履歴記憶手段１３１が構成されていることである。
【００８９】
本実施の形態における間取り検知手段１３０ａ、１３０ｂとは、超音波を機器本体から部屋に対して放出し、その超音波が壁や家具にあたって反射して帰ってくるまでの時間を計測して間取りを検知する手段である。超音波は、出力する範囲を幾つかの区画に区切ってその区画毎に超音波を出力してその反射波を見ているので、間取り検出には若干の時間がかかる。また、ある程度の精度を出すには、何回かの検知結果の平均を取った方が精度が上がるので、その平均を取る回数分が多くなれば検知時間がかかる。
【００９０】
この結果によって、第１の機器１０１ａ、第２の機器１０１ｂは、第１、第２の指示設定手段１０２ａ、１０２ｂからの風向設定が自動だった場合に風向を調整している。
【００９１】
運転履歴記憶手段１３１ｂとは、第２の機器１０１ｂで実際に運転した内容を履歴情報として記憶する手段である。実施の形態１では、第２の指示設定手段１０１ｂの指示情報履歴記憶手段１１８ｂの指示情報履歴を取得して運転傾向を決定していたが、本実施の形態では、第２の機器１０１ｂから実際に運転した運転履歴を情報収集手段１１４が収集して、運転傾向決定手段１１５が運転傾向を決定するものとする。
【００９２】
そして、情報収集手段１１４が運転履歴を収集するタイミングで間取り情報も取得するようにし、指示情報生成手段１１７ａは、間取り情報も含んだ指示情報を生成する。具体的には、実施の形態１同様、第２の機器１０１ｂの運転状況や第１、第２の機器１０１ａ、１０１ｂの冷却能力の差を考慮し、冷房使用時の温度設定を高めにする場合に生成する指示情報の１部にこの間取り情報を含ませるようにする。
【００９３】
以上のように、買い替え前の機器である第２の機器１０１ｂで既に検知している間取り情報を情報収集手段１１４によって収集し、通信手段１１３ａを経由して指示情報生成手段１１７ａが買い替え後の機器である第１の機器１０１ａへ継承することによって、第１
の機器１０１ａに間取り検知手段がなくても部屋の間取りに合わせた空調制御を第１の機器１０１ａで実現することができる。
【００９４】
また、第１の機器１０１ａに間取り検知手段１３０ａがある場合で再度第１の機器１０１ａでも間取り検知する場合でも、検知している間は、間取りに合わせた風量・風向を制御できない。これを買い替え前の第２の機器１０１ｂから引き継げれば、検知時間も間取りに合わせた風量・風向を制御ができる。
【００９５】
（実施の形態３）
図５は、本発明の第３の実施の形態の機器操作システムの機能構成を示すブロック図を示すものである。
【００９６】
本実施の形態においての第１、第２の機器１０１ａ、１０１ｂは、貯湯式給湯器であり、第１、第２の指示設定手段は、浴室または台所に設置されるリモートコントローラを想定している。
【００９７】
買い替え後の機器である第１の機器１０１ａは、通信手段１１３ｃ、運転履歴記憶手段１３１ａ、給湯手段１４０ａ、設定湯量判定手段１４１ａで少なくとも構成されている。
【００９８】
買い替え前の機器である第２の機器１０１ｂは、通信手段１１３ｄ、運転履歴記憶手段１３１ｂ、給湯手段１４０ｂ、設定湯量判定手段１４１ｂで少なくとも構成されている。
【００９９】
買い替え後のリモートコントローラである第１の指示設定手段１０２ａは、入力手段１１１ａ、報知手段１１２ａ、通信手段１１３ａ、情報収集手段１１４、運転傾向決定手段１１５、指示情報生成手段１１７ａで少なくとも構成されている。
【０１００】
買い替え前のリモートコントローラである第２の指示設定手段１０２ｂは、入力手段１１１ａ、報知手段１１２ａで少なくとも構成されている。
【０１０１】
第１の機器１０１ａと第１の指示設定手段１０２ａとは、有線で接続されていて予め決めておいた通信プロトコルで通信する。また、第１の機器１０１ａの設定湯量判定手段１４１ａとは、給湯手段１４０ａが湯を沸かす時間とその湯量を判定する手段である。
【０１０２】
ただし、入力手段１１１ａより使用者から時間や湯量が指定されている場合には、その設定されている時間・湯量でお湯を沸かすように給湯手段１４０ａに指示する。また、使用者からおまかせで特に時間・湯量が指定されていない時には、使用者がお湯を使用する時間帯やその湯量を日々解析し（学習し）、お湯を沸かす時間とその湯量を給湯手段１４０ａに指示する手段である。
【０１０３】
なお、第２の機器１０１ｂと第２の指示設定手段１０２ｂの関係についても同様である。
【０１０４】
有線で接続されているので、買い替え前の機器である第２の機器１０１ｂと買い替え後の機器（第１の機器１０１ａ）を運転させるために指示情報を設定する第１の指示設定手段１０２ａは、買い替えを行うときに施工業者によって接続されるものと本実施の形態では想定している。
【０１０５】
第２の機器１０１ｂと第１の指示設定手段１０２ａとが接続されている状態で第２の機器１０１ｂの品番を取得して、機能比較手段１１６が第１の機器１０１ａと第２の機器１０１ｂとの湯沸かし能力の差を比較する。
【０１０６】
そして、情報収集手段１１４が第２の機器１０１ｂの運転履歴を収集し、運転傾向決定手段が、収集結果からお湯が使用される時間の傾向と、その湯量の傾向を判断する。その比較結果と運転傾向をもとに指示情報生成手段１１７ａが指示情報を生成し、通信手段１１３ａを経由して、第１の機器１０１ａへ設定する。
【０１０７】
なお、情報収集手段１１４が運転履歴の代わりに第２の機器１０１ｂから設定湯量判定手段が決定する湯量設定を収集してもよい。そうすれば、運転傾向決定手段１１５が運転傾向を判断する必要がなくなる。
【０１０８】
以上のようにすれば、第１の機器１０１ａで湯量設定や湯沸かしを行う時間を学習することが不要になる。そうすると学習中は、どのくらいお湯が使われてもよいようにある程度多めにお湯を沸かす必要があるのだが、その必要がなくなるので、無駄なお湯を沸かすことを防止できる。
【０１０９】
以上で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【０１１０】
以上のように、本発明にかかる機器操作システムおよびそのプログラムは、買い替え前の機器での使用状況を買い替え後の機器へ継承し、その使用状況と買い替え前後の能力の差に応じて買い替え後の機器の設定を変更することができるので、第１、第２の指示設定手段を修理を行うサービスマンが使用する端末とすれば、冷蔵庫の庫内温度設定や、洗濯機の衣類偏り検知の検知パラメータを買い替え前のものから買い替え後のものへ継承させる等の用途にも適用することができる。
【符号の説明】
【０１１１】
１０１ａ  第１の機器
１０１ｂ  第２の機器
１０２ａ  第１の指示設定手段
１０２ｂ  第２の指示設定手段
１１１ａ、１１１ｂ  入力手段
１１２ａ、１１２ｂ  報知手段
１１３ａ、１１３ｂ  通信手段
１１４  情報収集手段
１１５  転傾向決定手段
１１６  機能比較手段
１１７ａ、１１７ｂ  指示情報生成手段
１１８ａ、１１８ｂ  指示情報履歴記憶手段
１１９  異常情報履歴記憶手段
１３０ａ、１３０ｂ  間取り検知手段
１３１ａ、１３１ｂ  運転履歴記憶手段
【図１】
2011158178.tif 000003
【図２】
2011158178.tif 000004
【図３】
2011158178.tif 000005
【図４】
2011158178.tif 000006
【図５】
2011158178.tif 000007
【図６】
2011158178.tif 000008